(57)【特許請求の範囲】
【請求項１】
スクリーン装置を正面側から見て左右方向に長く、上面側が長手に沿って開口部として開放されているケーシングと、
前記ケーシングの内部に配設されていて、前記左右方向に長く、一方向に回転付勢されているリールと、
下端部が前記リールに係止されていて、前記リールに巻かれる可撓性を有するスクリーンと、
前記左右方向に長く、前記スクリーンの上端部を係止させた、前記開口部に対応する上部カバーと、
前記スクリーンの後面側において、前記ケーシングと前記上部カバーとの間に配設された、前記ケーシングの内側に収納される折畳み式で自立機能を有する伸縮ブームと、
前記上部カバーの前記左右方向の中央部に設けられた噛み合い部と、
前記ケーシングの前記左右方向の中央部に設けられた被噛み合い部であって、前記スクリーンと前記伸縮ブームが前記ケーシングに収納されるときには、前記噛み合い部と噛み合う被噛み合い部と、
前記ケーシングの前記左右方向の中央部の下面に設けられたサポートレッグであって、前記ケーシングに対して後向きに回転できて、設置面に置かれたスクリーン展張状態の装置が後向きに傾斜しないようにサポートするサポートレッグと、を有し、
前記サポートレッグの回動に連動して前記被噛み合い部が動作し、前記スクリーンと前記伸縮ブームが前記ケーシングに収納される状態において、前記サポートレッグが前記左右方向と平行な姿勢に回転されているときには前記被噛み合い部は前記噛み合い部と噛み合う方向に動作し、前記サポートレッグが前記ケーシングに対して後向きに回転されているときには前記被噛み合い部は前記噛み合い部との噛み合いが解除される方向に動作することを特徴とするスクリーン装置。
【請求項２】
前記被噛み合い部は、前記噛み合い部に対して噛み合うロック方向に付勢部材により移動付勢されているスライドロックと、前記スライドロックを前記付勢部材の付勢力に抗して移動付勢方向とは逆方向に戻し移動するロック解除部材と、を有することを特徴とする請求項１に記載のスクリーン装置。
【請求項３】
前記ロック解除部材が回転軸であり、前記回転軸が前記サポートレッグの回転と一体に回転して前記スライドロックを動作させることを特徴とする請求項２に記載のスクリーン装置。
【請求項４】
前記回転軸がカム部を有し、前記カム部に前記スライドロックが対応しており、前記カム部は前記サポートレッグが前記左右方向と平行な姿勢に回転されているときには前記スライドロックを前記噛み合い部と噛み合う方向に動作させ、前記サポートレッグが前記ケーシングに対して後向きに回転されているときには前記スライドロックを前記噛み合い部との噛み合いが解除される方向に動作させることを特徴とする請求項３に記載のスクリーン装置。
【請求項５】
前記ケーシングの左右端部の左カバーと右カバーの前側に設けられたサポート部であって、設置面に置かれたスクリーン展張状態の装置の前向き傾斜を防ぎ、前記サポートレッグと共同でスクリーン展張状態の装置の垂直状態を保つサポート部を有することを特徴とする請求項１乃至請求項４のいずれか一項に記載のスクリーン装置。
【請求項６】
前記伸縮ブームは、上下の２つアームによりヒンジ接合部で接続して構成され、一方のアームに中空部には引っ張りスプリングの一端部が接続されて内蔵されており、前記引っ張りスプリングの他端部にはテンションケーブルの一端が接続されており、前記テンションケーブルの他端が前記ヒンジ接合部を経由して他方のアームに接続されており、前記引っ張りスプリングの引っ張り力による前記伸縮ブームの立ち上げ方向への付勢と、前記リールのスクリーン巻き込み力、前記上部カバーの自重による前記伸縮ブームの折畳み方向への力がバランスしてスクリーンを任意の立ち上がり高さ位置に支持する自立機能を有していることを特徴とする請求項１乃至請求項５のいずれか一項に記載のスクリーン装置。
【請求項７】
前記伸縮ブームは、スクリーンの左右方向の中央部における垂直線を対称軸として左右対称に配設した左側伸縮ブームと右側伸縮ブームとで構成されていることを特徴とする請求項１乃至請求項６のいずれか一項に記載のスクリーン装置。
【発明の詳細な説明】
【技術分野】
【０００１】
本発明は、ビデオプロジェクタ、映写機、スライドプロジェクタ等により映像を投影して映画などを見る又は放映する時に使用される可搬式のスクリーン装置に関する。
【背景技術】
【０００２】
可搬式のスクリーン装置としては各種のものが提案され、実用化されている。特許文献１には、スクリーンの上げ下げを長期間に渡って変形や損傷等のトラブル発生のない状態で行うことができると共に、そのための構成を簡素にすることができる自立式携帯用手動昇降スクリーン装置が記載されている。
【０００３】
この装置は、スクリーンの一端が連結された上端支持部材とスクリーンの他端が連結されたベース部材とを、左右のリンク機構にて枢支連結し、下部側アームを上方へ移動付勢するための付勢手段を設ける。そして、左右の上部側アームおよび左右の下部側アームのうちの少なくとも一方にスライド自在なスライド部材を外嵌し、それら左右のスライド部材をスクリーンのスクリーン左右幅方向ほぼ中央に位置する上下の垂線上で相対回転自在に連結した構造のものである。
【先行技術文献】
【特許文献】
【０００４】
【特許文献１】特開２００４−０４６０７８号公報
【発明の概要】
【発明が解決しようとする課題】
【０００５】
投影スクリーンの基本機能がプロジェクタのイメージングに合わせることであり、一般投影スクリーンのサイズは比較的に大きい。近時は、携帯式プロジェクタ（例えば、投影機能のある携帯電話）の登場及び普及につれて、その軽便性や低い投影パワーなどの特徴に応じて、より小さい投影面積、より小さい体積や軽い重量を持ち且つ簡単に操作できる小型携帯スクリーン装置が望まれている。
【０００６】
本発明は上記の要望に応えるものであり、小さい体積、軽量、携帯性を持ち且つ簡単に操作できる自立式手動昇降型のスクリーン装置を提供することを目的とする。
【課題を解決するための手段】
【０００７】
上記の目的を達成するための本発明に係るスクリーン装置の代表的な構成は、
スクリーン装置を正面側から見て左右方向に長く、上面側が長手に沿って開口部として開放されているケーシングと、
前記ケーシングの内部に配設されていて、前記左右方向に長く、一方向に回転付勢されているリールと、
下端部が前記リールに係止されていて、前記リールに巻かれる可撓性を有するスクリーンと、
前記左右方向に長く、前記スクリーンの上端部を係止させた、前記開口部に対応する上部カバーと、
前記スクリーンの後面側において、前記ケーシングと前記上部カバーとの間に配設された、前記ケーシングの内側に収納される折畳み式で自立機能を有する伸縮ブームと、
前記上部カバーの前記左右方向の中央部に設けられた噛み合い部と、
前記ケーシングの前記左右方向の中央部に設けられた被噛み合い部であって、前記スクリーンと前記伸縮ブームが前記ケーシングに収納されるときには、前記噛み合い部と噛み合う被噛み合い部と、
前記ケーシングの前記左右方向の中央部の下面に設けられたサポートレッグであって、前記ケーシングに対して後向きに回転できて、設置面に置かれたスクリーン展張状態の装置が後向きに傾斜しないようにサポートするサポートレッグと、を有し、
前記サポートレッグの回動に連動して前記被噛み合い部が動作し、前記スクリーンと前記伸縮ブームが前記ケーシングに収納される状態において、前記サポートレッグが前記左右方向と平行な姿勢に回転されているときには前記被噛み合い部は前記噛み合い部と噛み合う方向に動作し、前記サポートレッグが前記ケーシングに対して後向きに回転されているときには前記被噛み合い部は前記噛み合い部との噛み合いが解除される方向に動作することを特徴とする。
【発明の効果】
【０００８】
本発明のスクリーン装置は、構造が簡単で、使用しやすい、且つ体積が小さくて、携帯に便利である。
【図面の簡単な説明】
【０００９】
【図１】スクリーンが伸縮ブームの自立機能により使用可能な展張状態に保持されている状態のスクリーン装置の正面図
【図２】図１の状態のスクリーン装置の後面（背面）図
【図３】図１の状態のスクリーン装置の左側面図
【図４】スクリーン収納状態のスクリーン装置の横断右側面図
【図５】（ａ）はケーシングに対して上部カバーが閉じ込まれ、サポートレッグが格納位置に回動されている状態のスクリーン装置を後面側から見た斜視図、（ｂ）はケーシングに対して上部カバーが閉じ込まれ、サポートレッグが使用位置に回動されている状態のスクリーン装置を後面側から見た斜視図、
【図６】スクリーンが引き上げ途中状態又は引き下げ途中状態であるスクリーン装置の後面図
【図７】ロック機構を分解したスクリーン装置の斜視図であり、（ａ）は装置の後面側を右側から見た図、（ｂ）は装置の後面側を左側から見た図
【図８】ロック機構の要部の分解斜視図
【図９】（ａ）はロック機構のロック状態時の説明図、（ｂ）と（ｃ）はロック解除状態時の説明図
【図１０】伸縮ブームが立ち上がっている状態時の右側ヒンジ接合部の切り欠き後面図
【図１１】伸縮ブームが折畳まれている状態時の右側ヒンジ接合部の切り欠き後面図
【図１２】伸縮ブームが折畳まれている状態時のスクリーン装置の切り欠き後面図
【図１３】伸縮ブームが立ち上がっている状態時のスクリーン装置の切り欠き後面図
【図１４】伸縮ブームの立ち上げ付勢装置の説明図
【図１５】ヒンジ接合部の構造説明図
【図１６】実施例２のスクリーン装置の後面（背面）図
【発明を実施するための形態】
【００１０】
［実施例１］
以下、図面に示した実施例の可搬式のスクリーン装置(自立式携帯用手動昇降スクリーン装置)１について説明する。ここで、以下の説明において、装置１について、正面又は前面とは装置１をスクリーン２の映像投影面側（プロジェクタ側）から見た面である。後面（背面）とはそれとは反対側の面である。前又は後とは装置１を正面側から見て前又は後である。左又は右とは装置１を正面側から見て左又は右である。上又は下とは重力方向に関して上又は下である。
【００１１】
（装置１の全体的概略構成）
装置１は、左右方向に長いケーシング（外殻）３を有する。ケーシング３は、本実施例においてはアルミニウムの引き抜き型材であり、横断面（図４）において、前面、底面、後面の３面を有し、上面側が長手に沿ってスクリーン２及び折畳み式伸縮ブーム１７の出入り用の開口部３０４として開放されている。ケーシング３の左右の端部にはそれぞれエンドキャップとしての左カバー４と右カバー５がねじ止めなどの適宜の手段で定着されている。ケーシング３内には左カバー４と右カバー５の内面間に軸受け支持された、左右方向に長い筒状リール３１が配設されている。リール３１には可撓性を有するスクリーン２が巻かれている。スクリーン２の下辺側（下端部）はリール３１に係止されている。リール３１はスプリングなど付勢装置（不図示：応力装置）により常に一方向に回転付勢されている。
【００１２】
スクリーン２の上辺側（上端部）は、本実施例においては、ケーシング３とは別部材である上部カバー６に対して固定板３０により接続して固定されている。上部カバー６は左右方向に長く、スクリーン２の幅寸法（左右方向の寸法）よりも少し長く、開口部３０４の長さとほぼ同じ長さ寸法を有している。固定板３０はスクリーン２の幅寸法とほぼ同じ長さ寸法を有しており、上部カバー６の内側に固定して取り付けられている。スクリーン２の上辺側と上部カバー６はそのほかの方法で接続して固定することもできる。
【００１３】
上部カバー６はスクリーン２の上辺側を支持するとともに、ケーシング３の開口部３０４を閉鎖する蓋部材としても機能する。上部カバー６の長手方向（左右方向）のほぼ中央部の上面にはハンドル部（摘み部）７が設けられている。スクリーン２の後面側において、ケーシング３と上部カバー６との間に、スクリーン２を展張状態に保持させるための、立ち上がり動作・折畳み動作可能で自立機能を有する伸縮ブーム１７が配設されている。この伸縮ブーム１７については後に詳述する。
【００１４】
また、ケーシング３の長手方向のほぼ中央部の下面には装置据え座としてのサポートレッグ１６が設けられている。このレッグ１６は基部がケーシング３の下面に対して縦軸を中心に回転可能にヒンジ接続されている。そして、左向きに回動操作してケーシング３の下面の投影面内に位置させた格納位置Ａ（図５の（ａ））と、その格納位置Ａからほぼ９０°後向きに回動操作してケーシング３の下面から後方に突出させた使用位置Ｂ（図５の（ｂ）、図３）とに状態転換可能である。
【００１５】
本実施例においては、ケーシング３に対してスクリーン２と伸縮ブーム１７が収納されている状態において、レッグ１６の格納位置Ａから使用位置Ｂへの回動操作に連動して、ケーシング３に対する上部カバー６のロック機構８０がロック解除動作する。また、レッグ１６の使用位置Ｂから格納位置Ａへの回動操作に連動して、ケーシング３に対する上部カバー６のロック機構８０がロック動作する。このロック機構８０とその動作についても後に詳述する。
【００１６】
図４のスクリーン収納状態の装置１において、スクリーン２はリール３１の回転付勢力で十分に巻き込まれてケーシング３内に収納されている。伸縮ブーム１７もリール３１に巻き込まれているスクリーン２の後側において折畳まれてケーシング３内に収納されている。上部カバー６はケーシング３の上面の開口部３０４に対応して開口部３０４を塞ぐように位置していて、開口部３０４の蓋部材として機能している。レッグ１６は格納位置Ａに回動されている。レッグ１６のこの位置Ａにおいて、ケーシング３内のロック機構８０がロック動作状態に保持されていて、上部カバー６がケーシング３に対してロック（掛け止め）された状態になっている。このロック状態の装置１（図４、図５の（ａ））を手に持って、或いは脇に抱えて、或いは装置１を専用のキャリングケース（不図示）に納めてカバンを持ち運ぶように運搬することができる。
【００１７】
スクリーン収納状態の装置１（図４、図５の（ａ））を使用する場合には、格納位置Ａにあるレッグ１６をほぼ９０°後向きに回動操作してケーシング３の下面から後方に突出させた使用位置Ｂに転換する。そうすると、ロック機構８０がロック解除動作してその状態が保持される。これにより上部カバー６のケーシング３に対するロックが解除される。そして、装置１を机面や床面などの使用場所の設置面Ｆに据え置く。そして、ハンドル部７を持って（指で摘まんで）上部カバー６をリール３１のスクリーン巻き込み力に抗して上方に引き上げる。
【００１８】
この上部カバー６の引き上げに伴って、スクリーン２がリール３１を巻き込み方向とは逆方向に回転させながら開口部３０４から出てケーシング３の上方に引き出される。また、スクリーン２の後面側の伸縮ブーム１７がケーシング３内に折畳まれている状態から開口部３０４からケーシング３の上方に立ち上がり動作（伸び動作）する。
【００１９】
伸縮ブーム１７は自立機能を有しており、スクリーン２の引き上げ・引き下げ範囲内の任意の立ち上がり高さ位置においてハンドル部７から手指を離しても、その高さ位置にスクリーン２安定に支持した状態に保持する。即ち、伸縮ブーム１７は、後述するように、上部カバー６とスクリーン２の自重およびリール３１のスクリーン巻き込み力と、伸縮ブーム１７の立ち上がり力と、の両者がバランスしてスクリーン２を任意の立ち上がり高さ位置に安定に支持した状態に保持する。
【００２０】
図１はスクリーン２が伸縮ブーム１７の自立機能により使用可能な展張状態に保持されている状態の装置１の正面図である。図２は図１の状態の装置１の後面（背面）図である。図３は図１の状態の装置１の左側面図である。図６はスクリーン２が引き上げ途中状態又は引き下げ途中状態である装置１の後面図である。
【００２１】
レッグ１６は、装置１の使用時に引き上げられたスクリーン２の後向き傾斜力をつりあわせ、装置１の後向き傾斜を効果的に防ぐ。また、左カバー４には前方に突出させてサポート部４０１が、又は右カバー５にも前方に突出させてサポート部５０１が設けられている。これらのサポート部４０１・５０１は、装置１の使用時に引き上げられたスクリーン２の前向き傾斜力とつり合い、レッグ１６と共同で作用を発揮して、装置１の垂直状態を保持する。左カバー４と右カバー５に前方に突出させてサポート部４０１・５０１を設置することにより、装置１の外観と安定性を改善することができる。実際の必要に応じて、左カバー４と右カバー５の体積を増やして接地面積を増加することによって問題を解決することもできる。
【００２２】
図１乃至図３のようにスクリーン展張状態の装置１をスクリーン収納状態（図４、図５の（ａ））に戻す場合は、上部カバー６のハンドル部７を持って上部カバー６を下げ移動する。これにより、スクリーン２はリール３１の巻き込み力によりリール３１に巻き込まれて開口部３０４からケーシング３内に戻り移動して収納されていく。また、伸縮ブーム１７が折畳まれる方向に動作して開口部３０４からケーシング３内に収納されていく。そして、上部カバー６をケーシング３に対して十分に下げ移動すると、上部カバー６がケーシング３の上面の開口部３０４に対応位置していて開口部３０４を閉鎖する。この状態において、使用位置Ｂにあるレッグ１６をほぼ９０°左向きに回動操作してケーシング３の下面の投影面内の格納位置Ａに変換する。そうすると、ロック機構８０がロック動作してその状態が保持される。これにより上部カバー６がケーシング３に対してロックされてその状態が保持される。
【００２３】
（ロック機構８０）
次に、ロック機構８０について説明する。図７、図８、図９を参照して説明する。図７はロック機構８０を分解した装置１の斜視図であり、（ａ）は装置１の後面側を右側から見た図、（ｂ）は装置１の後面側を左側から見た図である。リール３１とスクリーン２は図には省略してある。図８はロック機構８０の要部の分解斜視図である。図９の（ａ）はロック状態時の説明図、（ｂ）と（ｃ）はロック解除状態時の説明図である。
【００２４】
上部カバー６の長手方向の中央部の内側には下向きに噛合い部８が設けられている。この噛合い部８は左向きのハンガー部（フック部）８ａを有している。一方、ケーシング３の長手方向の中央部の内側には上記の噛合い部８と対向する被噛合い部９が上向きに設けられている。
【００２５】
ロック機構８０はこの噛合い部８と被噛合い部９とで構成される。被噛合い部９は、ホルダー１０、スライドロック１１、リセットスプリング（付勢部材）１２、回転軸（ロック解除部材）１３などにより構成される。ホルダー１０は、ケーシング３の内底面にネジ或いはリベットで固定される。又は、そのほかの方式で固定される。スライドロック１１はホルダー１０の内部に左右方向にスライド移動可能に配設されている。即ち、スライドロック１１の凸部１１０１とホルダー１０のスライド溝１００１がマッチングしていて、スライドロック１１はホルダー１０内にてスライド溝１００１に沿って滑って左右方向にスライド移動可能に内蔵されている。スプリング１２もホルダー１０に内蔵されている。スプリング１２は、一端がスライドロック１１の左端側のスプリング穴１１０２に嵌り込む。スプリング１２のもう一端がホルダー１０内の左側のストッパー部１００２に受け止められている。即ち、スプリング１２はスライドロック１１の左端側とストッパー部１００２との間に縮設されている。これにより、スライドロック１１はスプリング１２の圧縮反力により常にホルダー１０内を右方向に移動付勢されている。
【００２６】
ホルダー１０の上面には上部カバー６側の噛合い部８が出入りするスリット穴１００３が形成されている。また、スライドロック１１にも噛合い部８が出入りするスリット穴１１０３が形成されている。スリット穴１００３とスリット穴１１０３は対応関係にあり、オーバーラップしている。そして、スライドロック１１の左右方向への移動に伴ってともなってオーバーラップ量が大小変化する。
【００２７】
ホルダー１０の右側には上下方向の貫通穴１００４が設けられている。また、ケーシング３の底面には上記の貫通穴１００４に対応する貫通穴３０２が設けられている。ホルダー１０がケーシング３の内底面に所定に位置決めされて固定された状態において、貫通穴１００４と貫通穴３０２は同一の軸線上に合致している。ホルダー１０の上面側から貫通穴１００４に回転軸１３が挿入される。回転軸１３の上端部には張り出し部１３０５が設けられている。この張り出し部１３０５がホルダー１０の上面に受け止められて回転軸１３がホルダー１０に保持される。回転軸１３の下端部は貫通穴１００４・３０２を貫通してケーシング３の底面から外側に突き出る。その回転軸１３の下端突出部に筒型ワッシャー１４を嵌着する。１４０１はワッシャー１４の筒穴である。ワッシャー１４の上半部が貫通穴３０２を貫通し、下半部がケーシング３の底面から外側に位置する。ワッシャー１４は回転軸１３の軸線を貫通穴１００４及び貫通穴３０２の軸線に一致がさせる役目をしている。
【００２８】
回転軸１３の最下端部は方形ヘッド部１３０２にされている。この方形ヘッド部１３０２がレッグ１６の基部側に形成されている角穴１６０１に挿し込まれる。そして、ネジ１５により、レッグ１６と回転軸１３の方形ヘッド部１３０２とが固定して接続される。この構造により、レッグ１６の格納位置Ａから使用位置Ｂへのほぼ９０°回動操作および逆に使用位置Ｂから格納位置Ａへのほぼ９０°回動操作に連動して、回転軸１３がレッグ１６と一体にほぼ９０°正逆回動する。回転軸１３の途中部分には、回転軸方向と垂直する弓形或いは三日月形のスロット１３０１（カム部）が設けられている。このスロット１３０１に対してスライドロック１１の右端側が対応する。
【００２９】
レッグ１６が使用位置Ｂにある時には、回転軸１３のスロット１３０１は後向きとなっている。そのために、スライドロック１１が回転軸１３のスロット１３０１の横の軸円弧面でスプリング１２の押圧力に抗して左方にスライド移動した状態に保持されている。この状態においては、ホルダー１０のスリット穴１００３に対するスライドロック１１のスリット穴１１０３のオーバーラップ量が大きい状態にある。そのため、上部カバー６側の噛合い部８はホルダー１０のスリット穴１００３とスライドロック１１のスリット穴１１０３の両方を引っ掛かりなく出入り可能である。従って、スクリーン展張状態（図１乃至図３）の装置１をスクリーン収納状態（図４、図５の（ａ））に戻したとき、上部カバー６側の噛合い部８は被噛合い部９側の上記のスリット穴１００３とスリット穴１１０３を通ってホルダー１０内に十分に進入する。
【００３０】
そして、レッグ１６を使用位置Ｂから格納位置Ａに回動操作すると、回転軸１３のスロット１３０１は左向きとなる。そうすると、スライドロック１１の右端部がスロット１３０１内に進入して、スライドロック１１がスプリング１２の付勢力で右方にスライド移動してその位置に保持される。この状態においては、ホルダー１０のスリット穴１００３に対するスライドロック１１のスリット穴１１０３のオーバーラップ量が小さい状態にあり、スライドロック１１のスリット穴１１０３の左端部が噛合い部８の左向きのハンガー部８ａに進入した状態になる。これにより噛合い部８が被噛合い部９に掛け止めされる。即ち、上部カバー６がケーシング３に対してロックされた状態になる。図９の（ａ）はこのロック状態のロック機構８０の切欠き斜視図である。
【００３１】
図９の（ａ）のロック状態において、レッグ１６を格納位置Ａから使用位置Ｂに回動操作すると、回転軸１３のスロット１３０１は左向きから後向きとなる。これにより、前記のように、スライドロック１１が回転軸１３のスロット１３０１の横の軸円弧面でスプリング１２の押圧力に抗して左方にスライド移動した状態に保持される。この状態において、ホルダー１０のスリット穴１００３に対するスライドロック１１のスリット穴１１０３のオーバーラップ量が大きくなり、スライドロック１１のスリット穴１１０３の左端部が噛合い部８の左向きのハンガー部８ａから逃げて外れる。即ち、噛合い部８の被噛合い部９に対するロックが解除される。図９の（ｂ）と（ｃ）はロックが解除された状態のロック機構８０の切欠き斜視図である。噛合い部８は上部カバー６が上方に引き上げられることで、スリット穴１１０３・１００３から引っ掛かりなく容易に抜け出る。
【００３２】
回転軸１３の張り出し部１３０５にはほぼ９０°の円弧状の切欠き溝部１３０４が形成されている。また、ホルダー１０の上面にはストッパー突起部１００５が設けられている。レッグ１６が格納位置Ａから使用位置Ｂにほぼ９０°回動されると切欠き溝部１３０４の一方側の端部がストッパー突起部１００５に突き当たることでレッグ１６のそれ以上の回動が阻止される。また、レッグ１６のその回動位置（使用位置Ｂ）が張り出し部１３０５とホルダー１０の上面に設けられた弾性クリック止め部１３０３および受け穴１００６との係合により保持される。また、レッグ１６が使用位置Ｂから格納位置Ａにほぼ９０°回動されると切欠き溝部１３０４の他方側の端部がストッパー突起部１００５に突き当たることでレッグ１６のそれ以上の回動が阻止される。また、レッグ１６のその回動位置（格納位置Ａ）が張り出し部１３０４とホルダー１０の上面に設けられた弾性クリック止め部１３０３と受け穴１００７との係合により保持される。
【００３３】
上記のように、スクリーン収納状態とスクリーン展張状態との変化過程において、サポートレッグ１６の回転だけで、ケーシング３に対する上部カバー６のロックとロック解除の動作が完成できるので、操作が簡単、便利である。
【００３４】
（伸縮ブーム１７）
次に、伸縮ブーム１７について説明する。伸縮ブーム１７は、スクリーン２の後面側において、ケーシング３と上部カバー６との間に配設された、スクリーン２を展張状態に保持させるための、立ち上がり動作・折畳み動作可能で自立機能を有しているスクリーン支持機構である。
【００３５】
本実施例における伸縮ブーム１７は、Ｓをスクリーン２の幅方向（左右方向）の中央部における垂直線（仮想線）としたとき、この垂直線Ｓを対称軸として左右対称に配設した一対の左側伸縮ブーム１７Ｌと右側伸縮ブーム１７Ｒとで構成されている。前記のハンドル部７、噛み合い部８、被噛み合い部９は垂直線Ｓ上にほぼ位置している。
【００３６】
左側伸縮ブーム１７Ｌは、ケーシング３の内部において、下端部が被噛み合い部９の左側に寄せた位置で前後方向の軸３１Ｌを中心に回動可能にケーシング３に対してヒンジ接続された左側下部サポートアーム２７Ｌを有する。また、上端部が上部カバー６の内側において、噛み合い部８の左側に寄せた位置で前後方向の軸３２Ｌを中心に回動可能に上部カバー６に対してヒンジ接続された左側上部サポートアーム２６Ｌを有する。そして、アーム２７Ｌの上端部とアーム２６Ｌの下端部とが左側ヒンジ接合部１８Ｌにより回動可能に接続されている。左側ヒンジ接合部１８Ｌは軸３１Ｌ・３２Ｌよりも左側に位置している。
【００３７】
右側伸縮ブーム１７Ｒは、ケーシング３の内部において、下端部が被噛み合い部９の右側に寄せた位置で前後方向の軸３１Ｒを中心に回動可能にケーシング３に対してヒンジ接続された右側下部サポートアーム２７Ｒを有する。また、上端部が上部カバー６の内側において、噛み合い部８の左側に寄せた位置で前後方向の軸３２Ｒを中心に回動可能に上部カバー６に対してヒンジ接続された右側上部サポートアーム２６Ｒを有する。そして、アーム２７Ｒの上端部とアーム２６Ｒの下端部とが右側ヒンジ接合部１８Ｒにより回動可能に接続されている。右側ヒンジ接合部１８Ｒは軸３１Ｒ・３２Ｒよりも右側に位置している。
【００３８】
アーム２７Ｌと２７Ｒのケーシング３に対するヒンジ接続はケーシング３の左右方向の中央部とすることもできる。アーム２６Ｌと２６Ｒの上部カバー６に対するヒンジ接続は上部カバー６の左右方向の中央部とすることもできる。アーム２７Ｌ・２６Ｌ、２７Ｒ・２６Ｒは、それぞれ、剛性を有する棒状部材であり、例えば、横断面円筒形や方筒形の金属パイプ材を用いることができる。本実施例においては、各アーム２７Ｌ・２６Ｌ、２７Ｒ・２６Ｒは、それぞれ、スクリーン２の幅寸法の１／２とほぼ同じ長さ寸法とされている。
【００３９】
上記の構成により、立ち上がり動作・折畳み動作可能な伸縮ブーム（Ｌ型折畳み式サポートアーム機構）１７（１７Ｌ・１７Ｒ）が構成される。より詳しく説明すると、以下の通りである。
【００４０】
左右両側にあるアーム２６Ｌ・２６Ｒの上端が、左右方向において、前後の位置が重ねない状態で、上部カバー６の中央部或いは中央部からやや両端寄りの位置にてヒンジ接続する。また、左右両側にあるアーム２７Ｌ・２７Ｒが左右方向において、前後の位置が重ねない状態で、ケーシング３の中央部或いは中央部からやや両端寄りの位置にてヒンジ接続する。これを実現するため、外部から嵌り込めるヒンジ接合部１８Ｌ・１８Ｒを利用する。このヒンジ接合部１８Ｌ・１８Ｒにより、同一側において左右両側にあるアーム２６Ｌ・２６Ｒの下端部とアーム２７Ｌ・２７Ｒの上端部を互いにヒンジ接続させ、更に自由に伸縮できる伸縮ブーム１７（１７Ｌ・１７Ｒ）を構成する。
【００４１】
左右両側にあるアーム２６Ｌ・２６Ｒと左右両側にあるアーム２７Ｌ・２７Ｒの２つヒンジ接合部１８Ｌ・１８Ｒをヒンジ接続することにより、左側伸縮ブーム１７Ｌを構成するヒンジ接合部１８Ｌは、ずっと左側に位置する。且つ、左側伸縮ブーム１７Ｌにおいてケーシング３と上部カバー６に接続するヒンジ接続点３１Ｌ・３２Ｌよりもっと左にある。一方、右側伸縮ブーム１７Ｒを構成するヒンジ接合部１８Ｒは、ずっと右側に位置する。且つ、右側伸縮ブーム１７Ｒにおいてケーシング３と上部カバー６に接続するヒンジ接続点３１Ｒ・３２Ｒよりもっと右にある。
【００４２】
左右両側にある伸縮ブーム１７Ｌ・１７Ｒに対して、スクリーン２がケーシング３に収められたスクリーン収納状態から最大限でのスクリーン展張状態まで調整する。それにより、伸縮ブーム１７の最大の伸び状態において、アーム２６Ｌ・２６Ｒの２つ下端部及び２７Ｌ・２６Ｒの２つ上端部はクロスの状態を保持し、同時に２つのヒンジ接合部１８Ｌ・１８Ｒは左右方向にて重ねなく、前後方向にて同一直線上にある。伸縮ブーム１７は、上部カバー６を引き上げ又は押し下げることにより、スクリーン２の上下動作を安定に実現し、且つ収められた状態で、上部カバー６両端の跳ね上がりを効果的に制御することができる。
【００４３】
図１０は伸縮ブーム１７が立ち上がっている状態時の右側ヒンジ接合部１８Ｒの切り欠き後面図、図１１は伸縮ブーム１７が折畳まれている状態時の右側ヒンジ接合部１８Ｒの切り欠き後面図である。左側ヒンジ接合部１８Ｌも同様の構成である。ヒンジ接合部１８（Ｌ・Ｒ）の上側ヒンジユニット１９には、開き位置制限用凸部１９０２が設けられており、下側ヒンジユニット２０には開き位置制限用サポートユニット２００２が設けられている。
【００４４】
上側ヒンジユニット１９と下側ヒンジユニット２０がヒンジ接合部中心（ヒンジ接合部回動中心）であるネジ２１の周りを開き方向に回動して、開き位置制限用凸部１９０２が開き位置制限用サポートユニット２００２にぶつかる。これにより、ヒンジ接合部１８が回転を停止する。即ち、ヒンジ接合部１８のそれ以上の開き方向への回転が阻止される。この時、伸縮ブーム１７の左右両側の下部サポートアーム２７Ｌ・２７Ｒと左右両側の上部サポートアーム２６Ｌ・２６Ｒとの間の内角が最大値になり、伸縮ブーム１７のそれ以上の立ち上がり動作が阻止される。これにより、スクリーン２が最大限に引き出されて展張された状態となる。
【００４５】
なお、前述の制限点１９０２・２００２は、図１０、図１１中に示す位置に限らない。実際の必要に応じて、開き位置制限用凸部１９０２と開き位置制限用サポートユニット２００２の位置を設定する。これにより、伸縮ブーム１７の左右両側の下部サポートアーム２７Ｌ・２７Ｒと左右両側の上部サポートアーム２６Ｌ・２６Ｒとの間の内角が１８０度以下になる時の異なる制限点１９０２・２００２を任意に設定することができる。
【００４６】
左右両側のヒンジ接合部１８Ｌ・１８Ｒに制限点１９０２・２００２が設けてあるので、スクリーン２の最大の引出し使用状態を安定的に制限することができる。ただし、制限点１９０２・２００２は左右のヒンジ接合部１８Ｌ・１８Ｒのうちの一つのヒンジ接合部において設置することもできる。また、開き位置制限用凸部１９０２を下側ヒンジユニット２０側に、位置制限用サポートユニット２００２を上側ヒンジユニット１９側に配設してもよい。
【００４７】
そして、スクリーン２が展張状態から収納状態に転換される場合、上部カバー６を押し下げることにより、伸縮ブーム１７が折畳み動作してケーシング３内に折畳まれ、またスクリーン２がケーシング３内のリール３０に巻き込まれる。図１２は伸縮ブーム１７がケーシング３内に十分に折畳まれた状態時の装置１の縦断面図である。
【００４８】
次に伸縮ブーム１７の自立機能機構について図１０乃至図１５により説明する。図１３は伸縮ブーム１７が立ち上がっている状態時のスクリーン装置の切り欠き後面図である。図１４は伸縮ブーム１７の立ち上げ付勢装置の説明図である。本実施例においては、左右両側の下部サポートアーム２７Ｌ・２７Ｒの中空部に、それぞれ、伸縮ブーム１７の自立機能機構としての立ち上げ付勢するための付勢装置（応力装置）が内蔵されている。左側下部サポートアーム２７Ｌと右側下部サポートアーム２７Ｒの中空部に内蔵の付勢装置は左右対称で同じ機構であるから、主として右側下部サポートアーム２７Ｒに内蔵の付勢装置を代表して説明する。
【００４９】
アーム２７Ｒの下端部内部にはアーム２７Ｒの回動中心である軸３１Ｒを中心に回動可能なスプリング固定部品１００が配設されている。アーム２７Ｒの内部には引っ張りコイルスプリング２８が挿入されており、このスプリング２８の下端部は上記の固定部品１００に接続されている。即ち、スプリング２８の下端部はアーム２７Ｒに接続されている。スプリング２８の上端部にはケーブルグリップ（ケーブルグリップ）２９０１を介して可撓性のあるテンションケーブル（テンションワイヤ）２９の一端が接続されている。ケーブル２９の他端側は延長されてヒンジ接合部１８Ｒの下側ヒンジユニット２０のケーブルガイド溝２００１と上側ヒンジユニット１９のＵ型ケーブルガイド溝１９０１を経由して上側ヒンジユニット１９の端部に至る。そして、ストッパー２９０２により上側ヒンジユニット１９に係止されている。即ち、アーム２６Ｒに接続されている。スプリング２８はケーブル２９を所定の引っ張り力をもって常時緊張させている。左側下部サポートアーム２７Ｌ側の付勢装置も上記の右側下部サポートアーム２７Ｒの付勢装置と同様の構造である。
【００５０】
この構造により、右側下部サポートアーム２７Ｒに対して右側上部サポートアーム２６Ｒがスプリング２８の引っ張り力によるケーブル２９の緊張により右側ヒンジ接合部１８Ｒを中心に開き方向に常時回動付勢されている。上記の開き方向はアーム２７Ｒと２６Ｌの内角を大きくする方向である。また、左側下部サポートアーム２７Ｌに対して左側上部サポートアーム２６Ｌがスプリング２８の引っ張り力によるケーブル２９の緊張により左側ヒンジ接合部１８Ｌを中心に開き方向に常時回動付勢されている。上記の開き方向はアーム２７Ｌと２６Ｒの内角を大きくする方向である。
【００５１】
即ち、伸縮ブーム１７がスプリング２８の引っ張り力によるケーブル２９の緊張により常時立ち上げ方向に付勢されている。伸縮ブーム１７は、スクリーン２の引き上げ・引き下げ範囲内の任意の立ち上がり高さ位置においてハンドル部７から手を離しても、スクリーン２をその高さ位置に安定に支持した状態に保持する自立機能を有する。即ち、上部カバー６とスクリーン２の自重およびリール３１のスクリーン巻き込み力と、伸縮ブーム１７の上記の付勢装置２８・２９による立ち上がり力と、の両者がバランスしてスクリーン２を任意の立ち上がり高さ位置に安定に支持した状態に保持する。つまり、スプリング２８をつりあわせる作用力、ヒンジ接合部１８にあるヒンジ接続部の摩擦力、下部サポートアーム２７にあるスクリーン２などの重量及び昇降スクリーン１の巻き作用力などにより、スクリーン２は任意な高度を保持することができる。
【００５２】
図１１、図１２に示すように、ヒンジ接合部１８Ｒ（１８Ｌ）上にはケーブル２９が通過する引っ張りガイド溝１９０１がある。その溝１９０１はＵ型偏心溝である。引っ張りガイド溝１９０１はＵ型底部で半円形溝ａを形成し、Ｕ型の両側でストレート溝ｂ・ｂを形成する。半円形溝ａ部分の溝底面からヒンジ接合部中心（ネジ）１８までの距離が比較的に長い。ストレート溝ｂ・ｂ部分の溝底面からヒンジ接合部中心１８までの距離が短い。即ち、ストレート溝ｂ・ｂ部分の溝底面からヒンジ接合部中心１８までの距離が、半円形溝ａ部分の溝底面からヒンジ接合部中心１８までの距離より短い。スクリーン２がゆっくりと下方に移動し、かつ、スクリーン２が任意の高さ位置で保持できるように、スプリング２８の張力を設定する。
【００５３】
伸縮ブーム１７の立ち上がり動作・折畳み動作におけるヒンジ接合部１８Ｌ・１８Ｒの開き角度変化に伴い、スプリング２８の伸び長さが異なれば、発生する張力が異なる。しかし、実際には、スプリング２８の作用力、ヒンジ接合部１８Ｌ・１８Ｒにあるヒンジの摩擦力、および下部サポートアームのスクリーンなどの重量とスクリーンの回収作用力などをつり合わせれば、スクリーン２を任意な高さ位置に保持することができる。
【００５４】
ヒンジ接合部１８Ｌ・１８Ｒ上にケーブル２９を通す引っ張りガイド溝１６０１の半円形溝ａ部分はそのほか楕円形などの形に設定されてもいい。ケーブルが自由に回転するように、ストレート溝と半円形溝（或いは楕円形溝）を正接に設定する。そのほか、正接に設定しなくてもいい、２つのストレート溝の位置が平行しなくてもいい。
【００５５】
図１５に示すように、ヒンジ接合部１８（Ｌ・Ｒ）は、上部サポートアーム２６（Ｌ・Ｒ）の下端に差し込まれる直方体の上側ヒンジユニット１９を有する。また、下部サポートアーム２７（Ｌ・Ｒ）の上端に差し込まれる直方体の下側ヒンジユニット２０を有する。また、上側ヒンジユニット１９と下側ヒンジユニット２０の間にある摩擦板２３を有する。また、上側ヒンジユニット１９と下側ヒンジユニット２０を貫通する回転スリーブ２５を有する。また、下側ヒンジユニット２０両側にあるワッシャー２４、上側ヒンジユニット１９と下側ヒンジユニット２０を自由に回転できるようにヒンジ接続するネジ２１及びナット２２を有する。
【００５６】
上側ヒンジユニット１９と下側ヒンジユニット２０の間には、摩擦板２３が設けてある。摩擦板２３は、上側ヒンジユニット１９の摩擦部１９０３及び下側ヒンジユニット２０の摩擦部２００３と摩擦して、ヒンジ接合部１８の受け力を効果的に制御することができる。ヒンジ接合部１８（Ｌ・Ｒ）上には、ケーブル２９を通す引っ張りガイド溝１９０１・２００１を設ける。上側ヒンジユニット１９には、Ｕ型ケーブルガイド溝１９０１が備えてある。下側ヒンジユニット２０には、ケーブルガイド溝２００１が備えてある。ケーブル２９は、上部ヒンジユニット１９のＵ型ケーブルガイド溝１９０１と下部ヒンジユニット２０のケーブルガイド溝２００１を貫通する。
【００５７】
ここで、前述の取付け状態以外に次のような取付け形態にすることもできる。即ち、スプリング２８は、その一端がスプリングの固定部品１００により上部サポートアーム２６（Ｌ・Ｒ）に取付けられる。そして、もう一端がケーブル２９を介してヒンジ接合部１８（Ｌ・Ｒ）を経由して下部サポートアーム２７（Ｌ・Ｒ）に接続した形態にすることもできる。又は、その他の取り付け方式を採用することもできる。また、伸縮ブーム１７を立ち上げ方向に付勢する付勢装置２８・２９は、左側下部サポートアーム２７Ｌ及び左側上部サポートアーム２６Ｒと、右側下部サポートアーム２７Ｒ及び右側上部サポートアーム２６Ｒの一方の側だけに配設した構成にすることもできる。
【００５８】
［実施例２］
図１６は伸縮ブーム１７の他の構成例を示したものである。本実施例においては、上部カバー６の左右両端側に上部サポートアーム２６Ｌ・２６Ｒの上端部をヒンジ接続３２Ｌ・３２Ｒし、ケーシング３の左右両端側に下部サポートアーム２７Ｌ・２７Ｒの下端部をヒンジ接続３１Ｌ・３１Ｒする。そして、左右両側にある上部サポートアーム２６Ｌ・２６Ｒと左右両側にある下部サポートアーム２７Ｌ・２７Ｒを２つヒンジ接合部１８Ｌ・１８Ｒで接続する。左側伸縮ブーム１７Ｌを構成する左側ヒンジ接合部１８Ｌはずっと垂直線Ｓの左側に位置し、且つ、上部カバー６側とケーシング３側のヒンジ接続点３１Ｌ・３２Ｌの右側にある。右側伸縮ブーム１７Ｒを構成する右側ヒンジ接合部１８Ｒはずっと垂直線Ｓの右側に位置し、且つ、上部カバー６側とケーシング３側のヒンジ接続点３１Ｒ・３２Ｒの左側にある。
【００５９】
上記の実施例１と実施例２のスクリーン装置１をまとめると次のとおりである。
【００６０】
（１）スクリーン装置１を正面側から見て左右方向に長く、上面側が長手に沿って開口部３０４として開放されているケーシング３を有する。ケーシング３の内部に配設されていて、左右方向に長く、一方向に回転付勢されているリール３１を有する。下端部がリール３１に係止されていて、リール３１に巻かれる可撓性を有するスクリーン２を有する。左右方向に長く、スクリーン２の上端部を係止させた、開口部に対応する上部カバー６を有する。スクリーン２の後面側において、ケーシング２と上部カバー６との間に配設された、ケーシング３の内側に収納される折畳み式で自立機能を有する伸縮ブーム１７を有する。上部カバー６の左右方向の中央部に設けられた噛み合い部８を有する。ケーシング３の左右方向の中央部に設けられた被噛み合い部９を有する。この被噛み合い部９は、スクリーン２と伸縮ブーム１７がケーシング３に収納されるときには、噛み合い部８と噛み合う。ケーシング３の左右方向の中央部の下面に設けられたサポートレッグ１６であって、ケーシング３に対して後向きに回転できて、設置面に置かれたスクリーン展張状態の装置１が後向きに傾斜しないようにサポートするサポートレッグ１６を有する。
【００６１】
（２）サポートレッグ１６の回動に連動して被噛み合い部９が動作する。スクリーン２と伸縮ブーム１７がケーシング３に収納される状態において、サポートレッグ１６が左右方向と平行な姿勢に回転されているときには被噛み合い部９は噛み合い部８と噛み合う方向に動作する。サポートレッグ１６がケーシング３に対して後向きに回転されているときには被噛み合い部９は噛み合い部８との噛み合いが解除される方向に動作する。
【００６２】
（３）被噛み合い部９は、噛み合い部８に対して噛み合うロック方向に付勢部材１２により移動付勢されているスライドロック１１を有する。また、スライドロック１１を付勢部材１２の付勢力に抗して移動付勢方向とは逆方向に戻し移動するロック解除部材１３を有する。
【００６３】
（４）ロック解除部材１３が回転軸であり、回転軸１３がサポートレッグ１６の回転と一体に回転してスライドロック１１を動作させる。
【００６４】
（５）回転軸１３がカム部１３０１を有し、カム部１３０１にスライドロック１１が対応している。カム部１３０１はサポートレッグ１６が左右方向と平行な姿勢に回転されているときにはスライドロック１１を噛み合い部８と噛み合う方向に動作させる。サポートレッグ１６がケーシング３に対して後向きに回転されているときにはスライドロック１１を噛み合い部８との噛み合いが解除される方向に動作させる。
【００６５】
（６）ケーシング３の左右端部の左カバー４と右カバー５の前側に設けられたサポート部４０１・５０１を有する。このサポート部４０１・５０１は、設置面Ｆに置かれたスクリーン展張状態の装置１の前向き傾斜を防ぎ、サポートレッグ１６と共同でスクリーン展張状態の装置１の垂直状態を保つ。
【００６６】
（７）伸縮ブーム１７は、上下の２つアーム２６（Ｌ・Ｒ）・２７（Ｌ・Ｒ）によりヒンジ接合部１８（Ｌ・Ｒ）で接続して構成されている。一方のアーム２７（Ｌ・Ｒ）に中空部には引っ張りスプリング２８の一端部が接続されて内蔵されている。引っ張りスプリング２８の他端部にはテンションケーブル２９の一端が接続されている。テンションケーブルの他端がヒンジ接合部１８（Ｌ・Ｒ）を経由して他方のアーム２６（Ｌ・Ｒ）に接続されている。引っ張りスプリング２８の引っ張り力による伸縮ブーム１７の立ち上げ方向への付勢と、リール３１のスクリーン巻き込み力、上部カバー６やハンドル部７の自重による伸縮ブーム１７の折畳み方向への力がバランスする。これによりスクリーン２を任意の立ち上がり高さ位置に支持する自立機能を有している。
【００６７】
（８）伸縮ブーム１７は、スクリーン２の左右方向の中央部における垂直線Ｓを対称軸として左右対称に配設した左側伸縮ブーム１７Ｌと右側伸縮ブーム１７Ｒとで構成されている。
【００６８】
スクリーン装置（自立式携帯用手動昇降スクリーン装置）１は、ケーシング３、上部カバー６、左カバー４、右カバー５、折畳み式伸縮ブーム１７、スクリーン２、リール３１などの組立て部品により構成される。スクリーン２は、一端が上部カバー６に接続し、もう一端がリール３１の弾力を利用してリール３１上に巻いて取り付けられる。リール３１はスクリーン２を巻くことに用いられ、スクリーン２を巻き込む方向に回転付勢力をかけた状態で、ケーシング３内に取り付けられ、その両端がそれぞれ左カバー４と右カバー５上に軸接続されて、リール３１が安定に水平を保持することを保証する。また、２つの折畳み式伸縮ブーム１７により、上部カバー６とケーシング３の間に挟まれる。折畳み式伸縮ブーム１７は、一端の軸３２（Ｌ・Ｒ）が上部カバー６を支持し、もう一端の軸３１（Ｌ・Ｒ）がケーシング３内にヒンジ接続される。付勢装置２８・２９がブーム１７に取付けられ、上部カバー６を支持して、スクリーン２が指定の高さを保持することを保証する。スクリーン２がケーシング３に収納されるとき、ブーム１７は平行してケーシング３に内蔵される。ケーシング３の体積を減らすため、ブーム１７は、スクリーン２の左右幅方向でのほぼ中央部に対してその左右両側にある。スクリーン２の左右幅方向での左側にあるブーム１７Ｌは、一端の軸３２Ｌが上部カバー６の中央部からやや左寄りに位置する。もう一端の軸３１Ｌがケーシング中央部からやや左寄りに位置する。ヒンジ接合部１８Ｌが左右中心部に対してその左側に設置される。そして、スクリーン２の左右幅方向での右側にあるブーム１７Ｒは、一端の軸３２Ｒが上部カバー６の中央部からやや右寄りに位置する。もう一端の軸３１Ｒがケーシング中央部からやや右寄りに位置する。ヒンジ接合部１８Ｒが左右中心部に対してその右側に設置される。スクリーン２が展張されているとき、又は上下方向で姿を変更するとき、又はスクリーンがケーシング３に収納されるとき、２つのブーム１７Ｌ・１７Ｒは左右方向で、且つ前後位置が重ねていない状態で伸縮する。これにより、スクリーン２のサイズが大きくない場合に、スクリーン２を安定に支持し、且つケーシング３の体積低減を実現する。
【００６９】
ケーシング中央部の下部には、サポートレッグ１６が設けてある。サレッグ１６がケーシング中央部の下部にヒンジ接続され、且つ後向きに回転できる。レッグ１６は回転軸１３を動かして回転させ、スクリーン２の後向き傾斜を防ぐ。スクリーン２が収納された時、スクリーン２の重心が低くて、左カバー４と右カバー５だけで装置１を支持することができるので、レッグ１６は、ケーシング３と平行したまでに回転し、ケーシング３の下に収められる。スクリーン２が展張されているとき、伸縮ブーム１７が上部カバー６をサポートするため、装置１の重心が上に移し、左カバー４と右カバー５だけでは装置１を後向きに傾斜しないように支持することが困難になる。左カバー４と右カバー５の接地面積を増やすことにより、上述の問題を解決することができる。かし、そうすれば、装置１の体積と重量を増やす。従って、レッグ１６がケーシング３と垂直したまで後向きに回転することにより、レッグ１６は装置１の後向き傾斜力をつりあわせ、効果的に装置１の後向き傾斜を防ぐことができる。
【００７０】
上述のように、スクリーン２がケーシング３に収納されているとき、装置１の重心が低くて、左カバー４と右カバー５だけで装置１を支持することができる。しかし、スクリーン２が展張されているとき、伸縮ブーム１７が上部カバー６を支持するため、装置１の重心が上に移し、左カバー４と右カバー５だけでは、装置１を後向きに傾斜しないように支持することが困難になる。上述の問題を解決するため、左カバー４と右カバー５の前にサポート部４０１・５０１を設置する。装置１が使用されているとき、サポート部４０１・５０１は装置１の前向き傾斜力をつりあわせ、ケーシング中部にあるサポートレッグ１６と共同で作用を発揮して、装置１を垂直状態にさせる。
【００７１】
上部カバー６の中央部には、噛合い部８が設けてある。噛合い部８はスクリーン２がケーシング３に収納されているとき、ケーシング中央部にある被噛合い部９と噛合い、運搬できるスクリーン装置１を構成する。ケーシング中央部の被噛合い部９は、ホルダー１０、スライドロック１１、リセットスプリング１２などにより構成される。ホルダー１０はケーシング３内の中央部に固定して取付けられている。ホルダー１０には、スライド溝１００１、スリット穴１００３、ストッパー部１００２などが設けられている。スライドロック１１には凸部１１０１、スリット穴１１０３、スプリング穴１１０２が設けられている。スライドロック１１の凸部１１０１はホルダー１０のスライド溝１００１とマッチングする。スライドロック１１はホルダー１０内においてスライド溝１００１に沿って滑走する。リセットスプリング１２は、一端がスライドロック１１のスプリング穴１１０２に嵌り込み、もう一端がホルダー１０のストッパー部１００２を押し、スライドロック１１に付勢力を提供する。スクリーン２が展張状態から収納状態に変化する時、上部カバー６が下向きに折畳み式伸縮ブーム１７を圧縮する。また、上部カバー６の中央部にある噛合い部８が被噛み合い部９のホルダー１０のスリット穴１００３とスライドロック１１のスリット穴１１０３に進入する。そして、スライドロック１１がリセットスプリング１２の弾力により、噛合い部８と噛合い、ロック動作を完成する。
【００７２】
リセットスプリング１２の軸方向で滑るロック解除装置を設置してもいいが、ロック解除を実現するため、部品を増設する必要があり、且つ操作ステップも増加し、装置１の便利性に不利である。従って、上述のロック解除問題を解決するため、サポートレッグ１６と回転軸１３を利用してロック解除を実現する。
【００７３】
具体的には以下の通りである。レッグ１６は、ケーシング中央部の下部にヒンジ接続され、且つ後向きに回転できる。レッグ１６は回転軸１３を動かして回転させられる。回転軸１３には、回転軸１３と垂直する弓形或いは三日月形のスロット１（カム部）３０１が設けられている。ケーシング３にスクリーン２が収納されたとき、ケーシング３の後方に回動しているレッグ１６をケーシング３に平行した状態に回転する。そうすると、回転軸１３が回転して、ケーシング中央部の噛合い部９のスライドロック１１が回転軸１３のスロット１３０１に嵌り込み、ロック動作を完成する。スクリーン３を展張状態にするときは、レッグ１６をケーシング３の後方に回転する。これにより回転軸１３が回転してスロット１３０１がスライドロック１１をスプリング１２による付勢方向とは逆方向に移動させて噛合い部８を開放し、ロック解除動作を完成して、スクリーン２の展張を可能にする。上述のように、サポートレッグ１６と回転軸１３はロック機構とロック解除機構であり、簡単に操作でき、便利性を持っている。
【００７４】
伸縮ブーム１７は、２つのサポートアーム２６（Ｌ・Ｒ）、２７（Ｌ・Ｒ）はヒンジ接合部１８（Ｌ・Ｒ）で繋がる。伸縮ブーム１７には、伸縮ブーム１７の折畳みと反発方向に作用するスプリング２８が設けてある。スプリング２８は、一端がその一つのサポートアーム２７（Ｌ・Ｒ）に内蔵され、もう一端がケーブル２９を介してヒンジ接合部１８（Ｌ・Ｒ）を通過してもう一つのサポートアーム２６（Ｌ・Ｒ）に接続する。ヒンジ接合部１８（Ｌ・Ｒ）には、ケーブル２９が通過する引っ張りガイド溝１９０１・２００１が設けられている。ヒンジ接合部１８（Ｌ・Ｒ）の接続面の間に、１対の摩擦板２３がある。ネジ２１とナット２２を利用して、ヒンジ部と摩擦板を繋ぎ、ナット２２の緩さを調整することにより、プリロードを設定し、更に摩擦力の大きさを調整する。スクリーン２の開き位置が変える場合、スプリング２８の引っ張り力だけで、スクリーン２をある位置に固定させることに必要となる力をつりあわせれば、スプリング２８の引っ張り力における設計が困難になる。また、スプリング２８の引っ張り力が大きいほど、伸縮ブーム１７は力を受けるために発生する変形が大きくなる。上下部アーム２６（Ｌ・Ｒ）、２７（Ｌ・Ｒ）の断面積を増やされば、強度を向上させることができる。従って、上述の問題を解決するため、ヒンジ部と摩擦板の間にある摩擦力をかける。これにより、スプリング２８の引っ張り力における設計要求を簡略化し、且つスプリング２８の引っ張り力を低減し、上下部アーム２６（Ｌ・Ｒ）、２７（Ｌ・Ｒ）の変形を改善することができる。ヒンジ接合部１８（Ｌ・Ｒ）には、上側ヒンジ部１９に開き位置制限用凸部１９０２を設け、下側ヒンジ部２０には開き位置制限用サポート部２００２を設ける。ヒンジ接合部１８（Ｌ・Ｒ）が一定の角度に回転した時、上側ヒンジ部２０にある開き位置制限用凸部１９０２は下側ヒンジ部２０にある開き位置制限用サポート部２００２に衝突する。これにより、ヒンジ接合部１８（Ｌ・Ｒ）が回転停止し、伸縮ブーム１７が指定の角度に固定され、更にスクリーン２の最大展張位置を確定する。制限部１９０２・２００２の位置を設定することにより、ヒンジ接合部１８（Ｌ・Ｒ）の回転角度を調整することができる。
【符号の説明】
【００７５】
１・・スクリーン装置、２・・スクリーン、３・・ケーシング、３０４・・開口部、３１・・リール、６・・上部カバー、８・・噛み合い部、９・・被噛み合い部、１６・・サポートレッグ、１７・・伸縮ブーム
【図１】
0005484034.tif 000002
【図２】
0005484034.tif 000003
【図３】
0005484034.tif 000004
【図４】
0005484034.tif 000005
【図５】
0005484034.tif 000006
【図６】
0005484034.tif 000007
【図７】
0005484034.tif 000008
【図８】
0005484034.tif 000009
【図９】
0005484034.tif 000010
【図１０】
0005484034.tif 000011
【図１１】
0005484034.tif 000012
【図１２】
0005484034.tif 000013
【図１３】
0005484034.tif 000014
【図１４】
0005484034.tif 000015
【図１５】
0005484034.tif 000016
【図１６】
0005484034.tif 000017